(57)【要約】【課題】周囲温度が高い場合の運転に際し、圧縮機の温度上昇を防止することができる自動販売機を提供する。【解決手段】自動販売機１０００が有する冷媒回路１０００ｃは、圧縮機１とガスクーラ２と室冷却用膨張手段４と左室蒸発器６Ｌ等と圧縮機１とを順次連結して冷媒を循環させる室冷却用配管系１００Ｃと、圧縮機１と左室凝縮器７Ｌ等とガスクーラ２と室冷却用配管系１００Ｃの合流点８とを順次連結して、冷媒を室冷却用配管系１００Ｃに流入させる室加熱用配管系１００Ｈと、を有している。また、合流点８と室冷却用膨張手段４との間において分岐し、左室蒸発器６Ｌ等と圧縮機１との間において合流するバイパス配管８１を有している。バイパス配管８１には、バイパス膨張手段（キャピラリー）８１ｅおよびバイパス電磁弁８１ｖが設置されている。【選択図】図３
2010055413.tif 000002
【特許請求の範囲】
【請求項１】
断熱材によって囲まれ一面に開口部を具備する筐体と、前記開口部を開閉する断熱扉と、前記筐体内に配置された仕切板によって仕切られた、左室、中室および右室と、該左室、中室および右室を選択的に加熱または冷却するための冷媒回路と、を有し、
前記冷媒回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、若しくは前記左室凝縮器または前記中室凝縮器の一方または両方を通過した冷媒が、供給される室冷却用膨張手段と、
該室冷却用膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記室冷却用膨張手段と、前記左室蒸発器および前記中室蒸発器および前記右室蒸発器と、前記圧縮機とを順次連結して冷媒を循環させる室冷却用配管系と、
前記圧縮機と、前記左室凝縮器および前記中室凝縮器と、前記ガスクーラと前記室冷却用膨張手段との間の合流点において前記室冷却用配管系に合流する室加熱用配管系と、
前記合流点と前記室冷却用膨張手段との間において分岐し、前記左室蒸発器および前記中室蒸発器および前記右室蒸発器と前記圧縮機の間において合流する、バイパス膨張手段が設置されたバイパス配管と、
を具備することを特徴とする自動販売機。
【請求項２】
断熱材によって囲まれ一面に開口部を具備する筐体と、前記開口部を開閉する断熱扉と、前記筐体内に配置された仕切板によって仕切られた、左室、中室および右室と、該左室、中室および右室を選択的に加熱または冷却するための冷媒回路と、を有し、
前記冷媒回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、若しくは前記左室凝縮器または前記中室凝縮器の一方または両方を通過した冷媒が、供給される室冷却用膨張手段と、
該室冷却用膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記室冷却用膨張手段と、前記左室蒸発器および前記中室蒸発器および前記右室蒸発器と、前記圧縮機とを順次連結して冷媒を循環させる室冷却用配管系と、
前記圧縮機と、前記左室凝縮器および前記中室凝縮器と、前記ガスクーラと前記室冷却用膨張手段との間の合流点において前記室冷却用配管系に合流する室加熱用配管系と、
前記室冷却用膨張手段と前記左室蒸発器および前記中室蒸発器および前記右室蒸発器との下流において分岐し、前記左室蒸発器および前記中室蒸発器および前記右室蒸発器と前記圧縮機との間に合流する、バイパス電磁弁が設置されたバイパス配管と、
を具備することを特徴とする自動販売機。
【請求項３】
断熱材によって囲まれ一面に開口部を具備する筐体と、前記開口部を開閉する断熱扉と、前記筐体内に配置された仕切板によって仕切られた、左室、中室および右室と、該左室、中室および右室を選択的に加熱または冷却するための冷媒回路と、を有し、
前記冷媒回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、若しくは前記左室凝縮器または前記中室凝縮器の一方または両方を通過した冷媒が、供給される室冷却用膨張手段と、
該室冷却用膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記室冷却用膨張手段と、前記左室蒸発器および前記中室蒸発器および前記右室蒸発器と、前記圧縮機とを順次連結して冷媒を循環させる室冷却用配管系と、
前記圧縮機と、前記左室凝縮器および前記中室凝縮器と、前記ガスクーラと前記室冷却用膨張手段との間の合流点において前記室冷却用配管系に合流する室加熱用配管系と、
前記合流点と前記室冷却用膨張手段との間における冷媒と、前記左室蒸発器および前記中室蒸発器および前記右室蒸発器と前記圧縮機との間における冷媒との間で熱交換をするための内部熱交換器と、
該熱交換器をバイパスして、前記左室蒸発器および前記中室蒸発器および前記右室蒸発器と前記圧縮機とを直結するバイパス配管と、
前記熱交換器に流入する冷媒量および前記バイパス配管流入する冷媒量を、それぞれ調整する電磁弁と、
を具備することを特徴とする自動販売機。
【請求項４】
断熱材によって囲まれ一面に開口部を具備する筐体と、前記開口部を開閉する断熱扉と、前記筐体内に配置された仕切板によって仕切られた、左室、中室および右室と、該左室、中室および右室のそれぞれに設置され、室内空気を循環させる左室ファン、中室ファンおよび右室ファンと、
該左室、中室および右室を選択的に加熱または冷却するための冷媒回路と、を有し、
前記冷媒回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、若しくは前記左室凝縮器または前記中室凝縮器の一方または両方を通過した冷媒が、供給される室冷却用膨張手段と、
該室冷却用膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記室冷却用膨張手段と、前記左室蒸発器および前記中室蒸発器および前記右室蒸発器と、前記圧縮機とを順次連結して冷媒を循環させる室冷却用配管系と、
前記圧縮機と、前記左室凝縮器および前記中室凝縮器と、前記ガスクーラと前記室冷却用膨張手段との間の合流点において前記室冷却用配管系に合流する室加熱用配管系と、
を具備し、
前記室冷却用膨張手段を通過した冷媒を、前記左室蒸発器および前記中室蒸発器および前記右室蒸発器の何れにも供給する際、前記左室ファンまたは前記中室ファンまたは前記右室ファンの少なくとも１台を低速回転可能または回転停止可能にしたことを特徴とする自動販売機。
【請求項５】
前記室冷却用膨張手段がキャピラリーであることを特徴とする請求項１乃至４の何れかに記載の自動販売機。
【発明の詳細な説明】
【技術分野】
【０００１】
本発明は自動販売機、特に、缶、ビン、パック、ペットボトル等の容器に入れた飲料等の商品を冷却または加熱して販売に供する自動販売機に関する。
【背景技術】
【０００２】
従来、自動販売機は、冷媒を圧縮する圧縮機と、圧縮された冷媒（高温高圧）を凝縮させる庫外凝縮器（ガスクーラに同じ）と、凝縮された冷媒（中温高圧）を膨張させる室冷却用膨張手段と、膨張した冷媒（低温低圧）を蒸発させる庫内蒸発器と、これらを順次連結して蒸発した冷媒（中温低圧）を圧縮機に戻す冷凍サイクルを有し、商品を収納する各商品収納庫内に庫内蒸発器を設置して、商品を冷却していた。
また、庫内蒸発器に高圧高温冷媒（ホットガスに同じ）を流して、庫内蒸発器において温熱を放出させて（凝縮器と機能させて）商品収納庫内を加熱する「ヒートポンプ運転」を実行する発明が開示されている（例えば、特許文献１参照）。
【０００３】
しかし、前記特許文献１に開示された発明は、加熱しようとする商品収納庫に向かう高温高圧冷媒と、冷却した商品収納庫から流出して圧縮機に戻る低温低圧冷媒とが、開閉バルブによって隔絶されているだけであるため、開閉バルブに漏洩がある場合には、前者が後者に混じって圧縮機に直接戻ることになる。そうすると、商品収納庫に流入する高温高圧冷媒および低温低圧冷媒の量が減少して、加熱不足および冷却不足が生じると共に、これを防止するため圧縮機の負荷が増大して消費エネルギが増加することになる。
そこで、商品収納庫に高温高圧冷媒が供給される庫内凝縮器と、低温低圧冷媒が供給される庫内蒸発器とを並設して、高温高圧冷媒が流れる配管と、低温低圧冷媒が流れる配管とを分離する発明が開示されている（例えば、特許文献２参照）。
【０００４】
【特許文献１】特開２００２−２９８２１０号公報（第３−４頁、図１）
【特許文献２】特開２００７−３２８７６２号公報（第１７−１８頁、図４）
【発明の開示】
【発明が解決しようとする課題】
【０００５】
しかしながら、前記特許文献２に開示された発明は、前記特許文献１に開示された発明における問題点を解決するものの、以下のような新たな問題があった。
すなわち、周囲の外気温度（以下、「周囲温度」と称す）が高い場合（以下、「高周温下」と称す）の運転に際し、圧縮機から大気中に温熱が十分に放出されないため、圧縮機の温度が上昇し、仕様限界を超えて圧縮機の故障の要因になっていた。特に、室冷却用膨張手段としてキャピラリーを用いると、キャピラリーが固定絞りであることから、冷媒循環量の制御ができないため、高周温下の運転に際し、圧縮機の温度上昇が顕著になっていた。
【０００６】
本発明は上記問題を解決するものであって、高周温下の運転に際し、圧縮機の温度上昇を防止することができる自動販売機を提供することを目的とする。
【課題を解決するための手段】
【０００７】
（１）本発明に係る自動販売機（請求項１）は、断熱材によって囲まれ一面に開口部を具備する筐体と、前記開口部を開閉する断熱扉と、前記筐体内に配置された仕切板によって仕切られた、左室、中室および右室と、該左室、中室および右室を選択的に加熱または冷却するための冷媒回路と、を有し、
前記冷媒回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、若しくは前記左室凝縮器または前記中室凝縮器の一方または両方を通過した冷媒が、供給される室冷却用膨張手段と、
該室冷却用膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記室冷却用膨張手段と、前記左室蒸発器および前記中室蒸発器および前記右室蒸発器と、前記圧縮機とを順次連結して冷媒を循環させる室冷却用配管系と、
前記圧縮機と、前記左室凝縮器および前記中室凝縮器と、前記ガスクーラと前記室冷却用膨張手段との間の合流点において前記室冷却用配管系に合流する室加熱用配管系と、
前記合流点と前記室冷却用膨張手段との間において分岐し、前記左室蒸発器および前記中室蒸発器および前記右室蒸発器と前記圧縮機の間において合流する、バイパス膨張手段が設置されたバイパス配管と、
を具備することを特徴とする。
【０００８】
（２）本発明に係る自動販売機（請求項２）は、断熱材によって囲まれ一面に開口部を具備する筐体と、前記開口部を開閉する断熱扉と、前記筐体内に配置された仕切板によって仕切られた、左室、中室および右室と、該左室、中室および右室を選択的に加熱または冷却するための冷媒回路と、を有し、
前記冷媒回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、若しくは前記左室凝縮器または前記中室凝縮器の一方または両方を通過した冷媒が、供給される室冷却用膨張手段と、
該室冷却用膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記室冷却用膨張手段と、前記左室蒸発器および前記中室蒸発器および前記右室蒸発器と、前記圧縮機とを順次連結して冷媒を循環させる室冷却用配管系と、
前記圧縮機と、前記左室凝縮器および前記中室凝縮器と、前記ガスクーラと前記室冷却用膨張手段との間の合流点において前記室冷却用配管系に合流する室加熱用配管系と、
前記室冷却用膨張手段と前記左室蒸発器および前記中室蒸発器および前記右室蒸発器との下流において分岐し、前記左室蒸発器および前記中室蒸発器および前記右室蒸発器と前記圧縮機との間に合流する、バイパス電磁弁が設置されたバイパス配管と、
を具備することを特徴とする。
【０００９】
（３）本発明に係る自動販売機（請求項３）は、断熱材によって囲まれ一面に開口部を具備する筐体と、前記開口部を開閉する断熱扉と、前記筐体内に配置された仕切板によって仕切られた、左室、中室および右室と、該左室、中室および右室を選択的に加熱または冷却するための冷媒回路と、を有し、
前記冷媒回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、若しくは前記左室凝縮器または前記中室凝縮器の一方または両方を通過した冷媒が、供給される室冷却用膨張手段と、
該室冷却用膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記室冷却用膨張手段と、前記左室蒸発器および前記中室蒸発器および前記右室蒸発器と、前記圧縮機とを順次連結して冷媒を循環させる室冷却用配管系と、
前記圧縮機と、前記左室凝縮器および前記中室凝縮器と、前記ガスクーラと前記室冷却用膨張手段との間の合流点において前記室冷却用配管系に合流する室加熱用配管系と、
前記合流点と前記室冷却用膨張手段との間における冷媒と、前記左室蒸発器および前記中室蒸発器および前記右室蒸発器と前記圧縮機との間における冷媒との間で熱交換をするための内部熱交換器と、
該熱交換器をバイパスして、前記左室蒸発器および前記中室蒸発器および前記右室蒸発器と前記圧縮機とを直結するバイパス配管と、
前記熱交換器に流入する冷媒量および前記バイパス配管流入する冷媒量を、それぞれ調整する電磁弁と、
を具備することを特徴とする。
【００１０】
（４）本発明に係る自動販売機（請求項４）は、断熱材によって囲まれ一面に開口部を具備する筐体と、前記開口部を開閉する断熱扉と、前記筐体内に配置された仕切板によって仕切られた、左室、中室および右室と、
該左室、中室および右室のそれぞれに設置され、室内空気を循環させる左室ファン、中室ファンおよび右室ファンと、
該左室、中室および右室を選択的に加熱または冷却するための冷媒回路と、を有し、
前記冷媒回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、若しくは前記左室凝縮器または前記中室凝縮器の一方または両方を通過した冷媒が、供給される室冷却用膨張手段と、
該室冷却用膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記室冷却用膨張手段と、前記左室蒸発器および前記中室蒸発器および前記右室蒸発器と、前記圧縮機とを順次連結して冷媒を循環させる室冷却用配管系と、
前記圧縮機と、前記左室凝縮器および前記中室凝縮器と、前記ガスクーラと前記室冷却用膨張手段との間の合流点において前記室冷却用配管系に合流する室加熱用配管系と、
を具備し、
前記室冷却用膨張手段を通過した冷媒を、前記左室蒸発器および前記中室蒸発器および前記右室蒸発器の何れにも供給する際、前記左室ファンまたは前記中室ファンまたは前記右室ファンの少なくとも１台を低速回転可能または回転停止可能にしたことを特徴とする。
【００１１】
（５）本発明に係る自動販売機（請求項５）は、前記（１）乃至（４）の何れかにおいて、前記室冷却用膨張手段がキャピラリーであることを特徴とする。
【発明の効果】
【００１２】
（ｉ）本発明の請求項１に係る自動販売機は、ガスクーラを通過した冷媒（中温高圧冷媒）の一部を、バイパス膨張手段によって膨張させた後、圧縮機に直接戻すバイパス配管を有する。したがって、高周温下において、バイパス配管を経由した冷媒（バイパス冷媒）を、左室蒸発器および前記中室蒸発器および前記右室蒸発器を通過した冷媒（中温低圧冷媒）に合流させれば、前者によって後者は冷却されるから、前記圧縮機に戻る冷媒の温度が低くなり、圧縮機自体の温度の上昇が防止される。
【００１３】
（ｉｉ）本発明の請求項２に係る自動販売機は、室冷却用膨張手段を通過した冷媒（低温低圧冷媒）の一部を、左室蒸発器および前記中室蒸発器および前記右室蒸発器をバイパスさせて、圧縮機に直接戻すバイパス配管を有する。したがって、高周温下において、室冷却用膨張手段において膨張した冷媒（低温低圧冷媒）を、左室蒸発器および前記中室蒸発器および前記右室蒸発器を通過した冷媒（中温低圧冷媒）に合流させれば、前者によって後者は冷却されるから、前記圧縮機に戻る冷媒の温度が低くなり、圧縮機自体の温度の上昇が防止される。
【００１４】
（ｉｉｉ）本発明の請求項３に係る自動販売機は、内部熱交換器を有すると共に、内部熱交換器をバイパスするバイパス配管を有する。したがって、高周温下において、左室蒸発器および前記中室蒸発器および前記右室蒸発器を通過した冷媒が内部熱交換器を通過しないで、圧縮機に直接戻るため、ガスクーラを通過した冷媒（中温高圧冷媒）から温熱を受け取ることがなく、低い温度のまま圧縮機に吸引され、圧縮機自体の温度の上昇が防止される。
【００１５】
（ｉｖ）本発明の請求項４に係る自動販売機は、室冷却用膨張手段を通過した冷媒を、左室蒸発器および中室蒸発器および右室蒸発器の何れにも供給する際、左室ファンまたは中室ファンまたは右室ファンの少なくとも１台を低速回転可能または回転停止可能にしている。したがって、高周温下において、全ての蒸発器に冷媒を供給するため、低圧側の冷媒循環量が増加するから、高圧側の圧力が低減する。
また、高周温下において、例えば、左室ファンを減速回転または回転停止するため、左室蒸発器において低温低圧冷媒はほとんど蒸発しないまま通過して、中室蒸発器および右室蒸発器において蒸発して温度が上昇している中温低圧冷媒に合流するから、中温低圧冷媒は冷却されて圧縮機に吸引され、圧縮機自体の温度の上昇が防止される。さらに、左室ファンに加え、中室ファンまたは右室ファンの一方または両方を減速回転または回転停止すれば、圧縮機自体の温度の上昇がさらに防止される。
【００１６】
（ｖ）本発明の請求項５に係る自動販売機は、室冷却用膨張手段がキャピラリーであって、冷媒循環量の制御ができない固定絞りであるから、高周温下において、前記バイパス配管を設けることによって、中温低圧冷媒の冷却効果が顕著になる。
【発明を実施するための最良の形態】
【００１７】
［実施の形態１：自動販売機］
図１〜図５は本発明の実施の形態１に係る自動販売機を説明するものであって、図１は正面視の断面図、図２は側面視の断面図、図３はこれに設置された冷却回路の構成図、図４および図５は冷媒の流れ方を示す冷却回路の構成図である。
図１および図２において、自動販売機１０００は、自動販売機１０００の本体のキャビネット２００と、キャビネット２００の内部で断熱材３００に包囲された商品収納庫４００と、商品Ｓを補充する時に商品収納庫４００を開閉する商品補充用扉４０４と、商品収納庫４００と外気を遮断するための内扉４０５と、自動販売機１０００の前扉４０６と、を有している。
【００１８】
商品収納庫４００は仕切り板４０３ＬＭ、４０３ＭＲによって商品室（以下、「左室」と称す）４０Ｌ、商品室（以下、「中室」と称す）４０Ｍ、商品室（以下、「右室」と称す）４０Ｒに仕切られている。
なお、以下の説明において、左室４０Ｌ、中室４０Ｍおよび右室４０Ｒのそれぞれに配置される部材において、共通する内容を説明する場合には、それぞれをまとめてまたはそれぞれを個別に、部材名称を形容する「左室、中室、右室」や、符号の添え字「ａ、ｂ、ｃ」を省略する場合がある。
【００１９】
各商品収納庫４００には、商品Ｓを収納するための商品収納ラック４０７と、商品収納ラック４０７から自然落下した商品Ｓを取出すための商品取出し口４０９と、商品Ｓを商品取出し口４０９まで誘導する商品誘導板４０８とが設置され、商品誘導板４０８の下方が庫内部品収納室４１０となっている。また、庫内空気を商品収納ラック４０７を経由して庫内部品収納室４１０に循環させるための循環ダクト４２０が設置されている。
【００２０】
そして、庫内部品収納室４１０には、庫内空気を商品誘導板４０８（通気孔が設けられている）を通過して商品Ｓに衝突させる室内ファン４３０と、室内ファン４３０の下流（循環ダクト４２０から遠い側）に庫内熱交換器４４０と、室内ファン４３０および庫内熱交換器４４０を収納する送風ダクト４５０と、送風ダクト４５０に連通して空気を通す風胴４６０と、が設置されている。そして、風胴４６０の上面に室内温度を測定する室内温度センサー５００が設置されている。
さらに、商品収納庫４００の下方には、コンデンシングユニット４７０および庫外ファン４８１を収納するための機械室４８０と、電装品および制御手段を収納するための電装品収納室４９０とが配置されている。
【００２１】
（冷媒回路）
図３において、自動販売機１０００が有する冷媒回路１０００ｃは、冷媒を圧縮する圧縮機１と、圧縮機１によって圧縮された冷媒（以下、高温高圧冷媒と称す）が選択的に供給されるガスクーラ２と、圧縮機１によって圧縮された高温高圧冷媒が選択的に供給される、左室４０Ｌに配置された左室凝縮器７Ｌおよび中室４０Ｍに配置された中室凝縮器７Ｍと、ガスクーラ２を通過した冷媒（以下、中温高圧冷媒と称す）、若しくは左室凝縮器７Ｌまたは中室凝縮器７Ｍの一方または両方を通過した冷媒（以下、中温高圧冷媒と称す）が、供給される室冷却用膨張手段（キャピラリー）４と、室冷却用膨張手段４を通過した冷媒（以下、低温低圧冷媒と称す）が選択的に供給される、左室４０Ｌに配置された左室蒸発器６Ｌ、中室４０Ｍに配置された中室蒸発器６Ｍ、および右室４０Ｒに配置された右室蒸発器６Ｒと、を有している。
【００２２】
また、圧縮機１と、ガスクーラ２と、室冷却用膨張手段４と、左室蒸発器６Ｌおよび中室蒸発器６Ｍおよび右室蒸発器６Ｒと、圧縮機１とを順次連結して冷媒を循環させる室冷却用配管系１００Ｃと、圧縮機１と、左室凝縮器７Ｌおよび中室凝縮器７Ｍと、ガスクーラ２と室冷却用膨張手段４との間の合流点８において室冷却用配管系１００Ｃに合流する室加熱用配管系１００Ｈと、を有している。すなわち、ガスクーラ２は、室冷却用配管系１００Ｃの一部を構成する伝熱管（図示しない）と、室加熱用配管系１００Ｈの一部を構成する伝熱管（図示しない）と、係る伝熱管が貫通する共通の複数の放熱板（図示しない）と、を有している。
【００２３】
また、室冷却用膨張手段４の直前における中温高圧冷媒と、左室蒸発器６Ｌまたは中室蒸発器６Ｍまたは右室蒸発器６Ｒの何れか１室以上を通過した冷媒（以下、中温低圧冷媒と称す）との間で、熱交換する内部熱交換器３を有している。
さらに、合流点８（室冷却用配管系１００Ｃと室加熱用配管系１００Ｈとが合流している）と室冷却用膨張手段４との間において分岐し、左室蒸発器６Ｌおよび中室蒸発器６Ｍおよび右室蒸発器６Ｒと圧縮機１の間において合流するバイパス配管８１を有している。なお、バイパス配管８１には、バイパス膨張手段（キャピラリー）８１ｅおよびバイパス電磁弁８１ｖが設置されている。
なお、バイパス電磁弁８１ｖを撤去して、バイパス膨張手段８１ｅのみによってバイパスする冷媒量を調整したり、常時、冷媒がバイパスするようにしてもよい。
【００２４】
なお、説明の便宜上、符号ｊの部材（分岐点、合流点を含む）と符号ｋの部材（分岐点、合流点を含む）とを連結する配管を符号ｊｋにて示し、配管ｊｋに設置された電磁弁を符号ｊｋｖと、配管ｊｋに設置された逆止弁（逆流防止弁に同じ）を符号ｊｋｎ、配管ｊｋに設置された流量調整弁を符号ｊｋｆとする。
すなわち、ガスクーラ２と内部熱交換器３とを連結する配管２３の合流点８より上流側には、逆止弁２３ｎが設置されている。また、室冷却用膨張手段４の下流側には、分岐点５に至る配管４５が設置され、配管４５は分岐点５において、左室蒸発器６Ｌに連通する配管５６Ｌと、中室蒸発器６Ｍに連通する配管５６Ｍと、右室蒸発器６Ｒに連通する配管５６Ｒと、に分岐している。そして、配管５６Ｌには、電磁弁５６Ｌｖと流量調整弁５６Ｌｆが設置されている。
【００２５】
さらに、左室蒸発器６Ｌと中室蒸発器６Ｍと右室蒸発器６Ｒの下流側には、それぞれ内部熱交換器３に至る配管６３Ｌと配管６３Ｍと配管６３Ｒとが設置され、これらは配管６３に統合されている。
一方、左室凝縮器７Ｌと中室凝縮器７Ｍとの下流側には、合流点９に至る配管７９Ｌと配管７９Ｍとが設置され、配管７９Ｌと配管７９Ｍとはガスクーラ２を通過して合流点８に至る配管９８に統合されている。そして、配管７９Ｌと配管７９Ｍと配管９８とには、それぞれ逆止弁７９Ｌｎと逆止弁７９Ｍｎと逆止弁９８ｎとが、設置されている。
【００２６】
（冷媒の通常の流れ、ＣＣＣ運転モード）
図４の（ａ）において、ＣＣＣ運転モードにおける冷媒の流れを実線にて示している。すなわち、圧縮機１において圧縮された高温高圧冷媒は、配管１２（電磁弁１２ｖが開き、電磁弁１７Ｌｖ、１６ｂｖが閉じている）を経由してガスクーラ２に流入し、さらに、配管２４（一体化した配管２３および配管３４を配管２４と称している）に流入して室冷却用膨張手段４に供給される。
そして、室冷却用膨張手段４において膨張した低温低圧冷媒は配管４５に流入し、分岐点５において分岐され、配管５６Ｌ、５６Ｍ、５６Ｒ（電磁弁５６Ｌｖ、５６Ｍｖ、５６Ｒｖが開いている）に流入し、それぞれ流量調整弁５６Ｌｆ、５６Ｍｆ、５６Ｒｆによって流量調整され、左室蒸発器６Ｌ、中室蒸発器６Ｍ、右室蒸発器６Ｒに供給される。
【００２７】
そうすると、低温低圧冷媒は、左室蒸発器６Ｌ、中室蒸発器６Ｍ、および右室蒸発器６Ｒにおいて、蒸発（冷熱を放出）して、左室４０Ｌ、中室４０Ｍ、および右室４０Ｒを冷却する。さらに、前記蒸発した後の冷媒（中温低圧冷媒に同じ）は、配管６３Ｌ、６３Ｍ、６３Ｒを経由して内部熱交換器３を通過した後、圧縮機１に戻る循環をする。
なお、室加熱用配管系の配管９８には、逆止弁９８ｎが設置されているから、中温高圧冷媒が室加熱用配管系の配管９８（ガスクーラ２の室加熱用配管系を構成する伝熱管）に流入することはない。
【００２８】
（冷媒のバイパス流れ、ＣＣＣ運転モード）
図４の（ｂ）において、周囲温度が高い場合（閾値（例えば、３５℃）を越えた場合）、バイパス配管８１に設置したバイパス電磁弁８１ｖを開く。そうすると、ガスクーラ２から流出した中温高圧冷媒の一部はバイパス配管４１に流入してバイパス膨張手段８１ｅにおいて膨張し、低温低圧冷媒になって圧縮機１に戻る直前の中温低圧冷媒と混ざり合うことになる。
すなわち、圧縮機１に吸引される冷媒の温度が、低温低圧冷媒との混合によって低下するから、圧縮機１の温度上昇が抑えられる（吸引した冷媒自体が、圧縮機１の本体の冷却に寄与している）。よって、周囲温度が高い状況での運転においても、圧縮機１の温度上昇による故障を防止することができる。
なお、バイパス電磁弁８１ｖを撤去して、バイパス膨張手段８１ｅのみによってバイパスする冷媒量を調整してもよい。このとき、常時、冷媒がバイパスするようにしてもよい。
【００２９】
（冷媒の通常の流れ、ＨＨＣ運転モード）
図５の（ａ）において、ＨＨＣ運転モードにおける冷媒の流れを実線にて示している。すなわち、圧縮機１において圧縮された高温高圧冷媒は、配管１７（電磁弁１７Ｌｖ、１７Ｍｖが開き、電磁弁１２ｖが閉じている）を経由して左室凝縮器７Ｌと中室凝縮器７Ｍに流入する。そうすると、高温高圧冷媒は、左室凝縮器７Ｌおよび中室凝縮器７Ｍにおいて凝縮（温熱を放出）して、左室４０Ｌおよび中室４０Ｍを加熱する。
そして、左室凝縮器７Ｌおよび中室凝縮器７Ｍを通過した冷媒（中温高圧冷媒に同じ）は配管７９Ｌおよび配管７９Ｍに流入し、配管９８を経由して（以上、室冷却用配管系１００Ｃ）、合流点８において室加熱用配管系１００Ｈの配管２３（配管２４を構成している）に合流する。
【００３０】
さらに、中温高圧冷媒は内部熱交換器３を通過して室冷却用膨張手段４に供給される。そして、室冷却用膨張手段４において膨張した低温低圧冷媒は配管４５に流入し、分岐点５において分岐され配管５６Ｒに流入し（電磁弁５６Ｌｖ、５６Ｍｖが閉じ、電磁弁５６Ｒｖが開いている）、流量調整弁５６Ｒｆによって流量調整され右室蒸発器６Ｒに供給される。そうすると、低温低圧冷媒は、右室蒸発器６Ｒにおいて蒸発（冷熱を放出）して、右室４０Ｒを冷却する。さらに、前記蒸発した後の冷媒（中温低圧冷媒に同じ）は、配管６３Ｒを経由して内部熱交換器３を通過した後、圧縮機１に戻る循環をする。
なお、室冷却用配管系１００Ｃの配管２３には、逆止弁２３ｎが設置されているから、中温高圧冷媒が配管２３やガスクーラ２の室冷却用配管系１００Ｃを構成する伝熱管に流入することはない。
【００３１】
（冷媒のバイパス流れ、ＨＨＣ運転モード）
図５の（ｂ）において、周囲温度が高い場合（閾値（例えば、３５℃）を越えた場合）、バイパス配管８１に設置したバイパス電磁弁８１ｖを開く。そうすると、左室凝縮器７Ｌおよび中室凝縮器７Ｍにおいて凝縮した後、ガスクーラ２から流出した中温高圧冷媒の一部は、バイパス配管８１に流入してバイパス膨張手段８１ｅにおいて膨張し、低温低圧冷媒になって、圧縮機１に戻る直前の中温低圧冷媒と混ざり合うことになる。
すなわち、前記ＣＣＣ運転モードの場合と同様に、圧縮機１に吸引される冷媒の温度が、低温低圧冷媒との混合によって低下するから、圧縮機１の温度上昇が抑えられる（吸引した冷媒自体が、圧縮機１の本体の冷却に寄与している）。よって、周囲温度が高い状況での運転においても、圧縮機１の温度上昇による故障を防止することができる。
【００３２】
なお、一室のみが加熱されるＨＣＣ運転モードまたはＣＨＣ運転モードは、ＨＨＣ運転モードにおける、左室４０Ｌまたは中室４０Ｍの一方に高温高圧冷媒が供給され、他方に低温低圧冷媒が供給されるものであるから、ＨＣＣ運転モードまたはＣＨＣ運転モードにおける通常の冷媒の流れは、２室が加熱されるＨＨＣ運転モードに準じる。また、周囲温度が高い場合の冷媒のバイパス流れは、２室が加熱されるＨＨＣ運転モードに同じである。
【００３３】
［実施の形態２：自動販売機］
図６および図７は、本発明の実施の形態２に係る自動販売機を説明するものであって、図６は自動販売機に設置された冷却回路の構成図、図７は冷媒の流れ方を示す冷却回路の構成図である。なお、実施の形態１（図１〜図３）と同じ部分または相当する部分には同じ符号を付している。以下、実施の形態１と相違する点を中心に説明する。
【００３４】
（冷媒回路）
図６において、自動販売機２０００（図示しない、図１および図２に同じ）が有する冷媒回路２０００ｃは、冷媒回路１０００ｃ（実施の形態１）が有するバイパス配管８１に替えて、バイパス配管４１を有している。
すなわち、室冷却用膨張手段４の下流側に設置された配管４５と、内部熱交換器３と圧縮機１とを連通する配管３１とが、バイパス配管４１によって連結されている。そして、バイパス配管４１にはバイパス電磁弁４１ｖが設置されている。
したがって、ＣＣＣ運転モードにおける通常の冷媒流れ方およびＨＨＣ運転モードにおける通常の冷媒流れ方は、冷媒回路１０００ｃ（実施の形態１）に同じである。
なお、バイパス電磁弁４１ｖを開閉機能（遮断）と流量調整機能を具備するものにして、バイパスする冷媒量を調整してもよい。また、バイパス電磁弁４１ｖを撤去して、常時、冷媒の一部がバイパスするようにしてもよい。
【００３５】
（冷媒のバイパス流れ、ＣＣＣ運転モード）
図７の（ａ）において、周囲温度が高い場合（閾値（例えば、３５℃）を越えた場合）のＣＣＣ運転モードにおける冷媒の流れを実線にて示している。
すなわち、バイパス配管４１に設置したバイパス電磁弁４１ｖが開いている。そうすると、室冷却用膨張手段４から流出した低温低圧冷媒の一部はバイパス配管４１に流入して、左室蒸発器６Ｌ、中室蒸発器６Ｍおよび右室蒸発器６Ｒを通過した後（正確には、内部熱交換器３も通過している）の圧縮機１に戻る直前の中温低圧冷媒と、混ざり合うことになる。
すなわち、圧縮機１に吸引される冷媒の温度が、低温低圧冷媒との混合によって低下するから、圧縮機１の温度上昇が抑えられる（吸引した冷媒自体が、圧縮機１の本体の冷却に寄与している）。よって、周囲温度が高い状況での運転においても、圧縮機１の温度上昇による故障を防止することができる。
なお、バイパス電磁弁４１ｖを開閉機能（遮断）と流量調整機能を具備するものにして、バイパスする冷媒量を調整してもよい。また、バイパス電磁弁４１ｖを撤去して、このとき、常時、冷媒の一部がバイパスするようにしてもよい。
【００３６】
（冷媒のバイパス流れ、ＨＨＣ運転モード）
図７の（ｂ）において、周囲温度が高い場合（閾値（例えば、３５℃）を越えた場合）のＨＨＣ運転モードにおける冷媒の流れを実線にて示している。すなわち、バイパス配管４１に設置したバイパス電磁弁４１ｖを開いている。そうすると、室冷却用膨張手段４から流出した低温低圧冷媒の一部はバイパス配管４１に流入して、右室蒸発器６Ｒを通過した後（正確には、内部熱交換器３も通過している）の圧縮機１に戻る直前の中温低圧冷媒と、混ざり合うことになる。
すなわち、圧縮機１に吸引される冷媒の温度が、低温低圧冷媒との混合によって低下するから、圧縮機１の温度上昇が抑えられる（吸引した冷媒自体が、圧縮機１の本体の冷却に寄与している）。よって、周囲温度が高い状況での運転においても、圧縮機１の温度上昇による故障を防止することができる。
なお、バイパス電磁弁４１ｖを開閉機能（遮断）と流量調整機能を具備するものにして、バイパスする冷媒量を調整してもよい。また、バイパス電磁弁４１ｖを撤去して、このとき、常時、冷媒の一部がバイパスするようにしてもよい。
【００３７】
［実施の形態３：自動販売機］
図８および図９は本発明の実施の形態３に係る自動販売機を説明するものであって、図８は自動販売機に設置された冷却回路の構成図、図９は冷媒の流れ方を示す冷却回路の構成図である。なお、実施の形態１（図１〜図３）と同じ部分または相当する部分には同じ符号を付している。以下、実施の形態１と相違する点を中心に説明する。
【００３８】
（冷媒回路）
図８において、自動販売機３０００（、図示しない、図１および図２に同じ）が有する冷媒回路３０００ｃは、冷媒回路１０００ｃ（実施の形態１）が有するバイパス配管８１に替えて、内部熱交換器３をバイパス（ショートカット）するバイパス配管６１を有している。すなわち、バイパス配管６１は、左室蒸発器６Ｌ等と内部熱交換器３とを連結する配管６３と、内部熱交換器３と圧縮機１とを連結する配管３１とを連結している。なお、配管６３には、バイパス配管６１が分岐した位置よりも下流側に電磁弁６３ｖが設置され、バイパス配管６１にはバイパス電磁弁６１ｖが設置されている。
したがって、ＣＣＣ運転モードにおける通常の冷媒流れ方およびＨＨＣ運転モードにおける通常の冷媒流れ方は、冷媒回路１０００ｃ（実施の形態１）に同じである。
【００３９】
（冷媒のバイパス流れ、ＣＣＣ運転モード）
図９の（ａ）において、周囲温度が高い場合（閾値（例えば、３５℃）を越えた場合）のＣＣＣ運転モードにおける冷媒の流れを実線にて示している。バイパス配管６１に設置したバイパス電磁弁６１ｖが開き、内部熱交換器３に連通する配管６３に設置した電磁弁６３ｖが閉じている。そうすると、左室蒸発器６Ｌ、中室蒸発器６Ｍおよび右室蒸発器６Ｒを通過した後の中温低圧冷媒の全ては、内部熱交換器３をバイパスして圧縮機１に直接流入する。
このとき、ガスクーラ２を通過した後の中温高圧冷媒の保有する温熱が、圧縮機１に流入する直前の中温低圧冷媒に受け渡されないから、圧縮機１に吸引される直前に、中温低圧冷媒の温度が上昇するようなことがない。したがって、圧縮機１の温度上昇が抑えられる（吸引した冷媒自体が、圧縮機１の本体の冷却に寄与している）から、周囲温度が高い状況での運転においても、圧縮機１の温度上昇による故障を防止することができる。
なお、電磁弁６３ｖおよびバイパス電磁弁４１ｖを開閉機能（遮断）と流量調整機能を具備するものにして、バイパスする冷媒量を調整してもよい。また、電磁弁６３ｖおよびバイパス電磁弁４１ｖの双方を撤去して、常時、冷媒の一部が内部熱交換器３を通過し、これを除く冷媒がバイパスするようにしてもよい。
【００４０】
（冷媒のバイパス流れ、ＨＨＣ運転モード）
図７の（ｂ）において、周囲温度が高い場合（閾値（例えば、３５℃）を越えた場合）のＨＨＣ運転モードにおける冷媒の流れを実線にて示している。バイパス配管６１に設置したバイパス電磁弁６１ｖが開き、内部熱交換器３に連通する配管６３に設置した電磁弁６３ｖが閉じている。そうすると、右室蒸発器６Ｒを通過した後の中温低圧冷媒の全ては、内部熱交換器３をバイパスして圧縮機１に直接流入する。
したがって、前記ＣＣＣ運転モードの場合と同様に、圧縮機１に吸引される直前に、中温低圧冷媒の温度が上昇するようなことがないから、圧縮機１の温度上昇が抑えられ、周囲温度が高い状況での運転においても、圧縮機１の温度上昇による故障を防止することができる。
なお、電磁弁６３ｖおよびバイパス電磁弁４１ｖを開閉機能（遮断）と流量調整機能を具備するものにして、バイパスする冷媒量を調整してもよい。また、電磁弁６３ｖおよびバイパス電磁弁４１ｖの双方を撤去して、常時、冷媒の一部が内部熱交換器３を通過し、これを除く冷媒がバイパスするようにしてもよい。
【００４１】
［実施の形態４：自動販売機］
図１０〜図１２は本発明の実施の形態４に係る自動販売機を説明するものであって、図１０は自動販売機に設置された冷却回路の構成図、図１１は制御系の実施例を示すブロック図およびフローチャート図、図１２は制御系の実施例を示すタイムチャート図である。なお、実施の形態１（図１〜図３）と同じ部分または相当する部分には同じ符号を付している。以下、実施の形態１と相違する点を中心に説明する。
【００４２】
（冷媒回路）
図１０において、自動販売機４０００（図示しない、図１および図２に同じ）が有する冷媒回路４０００ｃは、冷媒回路１０００ｃ（実施の形態１）が有するバイパス配管８１を撤去したものである。そして、左室４０Ｌに設置された左室ファン４３０Ｌ、中室４０Ｍに設置された中室ファン４３０Ｍおよび右室４０Ｒに設置された右室ファン４３０Ｒのそれぞれの運転／停止、あるいは回転数を制御する室内ファン制御手段４４３０を有している。
したがって、ＣＣＣ運転モードにおける通常の冷媒流れ方およびＨＨＣ運転モードにおける通常の冷媒流れ方は、冷媒回路１０００ｃ（実施の形態１）に同じである。
【００４３】
（室内ファン制御手段の制御要領）
ＣＣＣ運転モードのとき、低温低圧冷媒は、左室蒸発器６Ｌ、中室蒸発器６Ｍおよび右室蒸発器６Ｒに供給されている。このとき、電磁弁５６Ｌｖ、電磁弁５６Ｍｖおよび電磁弁５６Ｒｖが開いているから、低圧側の冷媒（低温低圧冷媒、中温低圧冷媒に同じ）の循環量が増加するため、高温高圧冷媒の圧力を低減することができる。
さらに、周囲温度が高い場合（閾値（例えば、３５℃）を越えた場合）、左室ファン４３０Ｌ、中室ファン４３０Ｍまたは右室ファン４３０Ｒのうちの少なくとも１台の回転を停止したり、少なくとも１台の回転数を小さく（減速）する。そうすると、回転停止または回転減速したファンが設置された室の蒸発器では、低温低圧冷媒の蒸発が停止または蒸発量が減少するから、低熱を放出しないままの低圧低温冷媒が、圧縮機１に戻ることになる。したがって、圧縮機１の温度上昇が抑えられ、周囲温度が高い状況での運転においても、圧縮機１の温度上昇による故障を防止することができる。
【００４４】
なお、周囲温度が高い場合に、何れのファンを回転停止するか、回転停止する時間（ＯＮ／ＯＦＦのインターバル）を幾らにするか、あるいは、回転減速するファンを何れにして、どの程度の減速量にするか、減速運転の時間を幾らにするか等は、周囲温度だけでなく、各室の温度状況（収納された商品の払い出し状況）等を勘案して、適宜選定されるものである。
なお、例えば、右室４０Ｒに設置された右室ファン４３０Ｒが複数である場合、回転減速に替えて、回転停止する台数を変更してもよい。また、回転停止する台数を変更しながら、回転減速を変えてもよい。
【００４５】
なお、以上は、バイパス配管８１のない冷媒回路４０００ｃについて説明しているが、本発明はこれに限定するものではなく、バイパス配管８１を有する冷媒回路１０００ｃ（実施の形態１）、バイパス配管４１を有する冷媒回路２０００ｃ（実施の形態２）あるいはバイパス配管６１を有する冷媒回路３０００ｃ（実施の形態３）のいずれにおいても、、冷媒回路４０００ｃにおけると同様の制御をすることができ、かかる制御をすることによって、それぞれの実施の形態１〜３において説明した効果が促進されるものである。
【００４６】
（実施例）
図１１の（ａ）において、自動販売機４０００の有する制御系は、室内ファン制御手段４４３０と、制御情報を検出して、それを室内ファン制御手段４４３０に入力する、周囲温度センサー６００と、室内温度センサー５００（正確には、左室４０Ｌに設置された左室温度センサー５００Ｌ、中室４０Ｍに設置された中室温度センサー５００Ｍ、右室４０Ｒに設置された右室温度センサー５００Ｒ）と、室内ファン制御手段４４３０からの制御信号を受ける、室内ファン４３０（正確には、左室４０Ｌに設置された左室ファン４３０Ｌ、中室４０Ｍに設置された中室ファン４３０Ｍ、右室４０Ｒに設置された右室ファン４３０Ｒ）と、電磁弁５６ｖ（正確には、電磁弁５６Ｌｖ、電磁弁５６Ｍｖ、電磁弁５６Ｒｖ）と、を有している。
【００４７】
図１１の（ｂ）において、室内ファン制御手段４４３０は、周囲温度センサー６００が周囲温度を検出し（Ｓ１）、検出した周囲温度と閾値（例えば、３５℃）とを比較して（Ｓ２）、周囲温度が閾値未満である場合には、通常運転モードを実行させようと判断して（Ｓ３）、電磁弁５６ｖや室内ファン４３０に所定の動作を指令する（Ｓ４）。一方、周囲温度が閾値以上である場合には、高負荷運転モードを実行させようと判断して（Ｓ５）、電磁弁５６ｖの切り替えや室内ファン４３０の運転停止／運転減速等の所定の動作を指令する（Ｓ６）。
【００４８】
図１２はタイムチャートの一例である。図１２において、前記のように周囲温度が閾値以上の場合に、高負荷運転モードを実行している。
そして、高負荷運転モードにおいては、一定時間間隔で各室内温度を検出して、そのときに最も高い温度になっている室（商品収納庫）４０の室内ファン４３０を起動（ｏｎ））して、当該室を冷却する。
また、温度判定（図１１の（ｂ）においてＳ１）前に、冷却している室の室内温度が設定下限まで下がった場合には、その他の２室のうち室内温度がより高い方に設置された室内ファン４３０を起動（ｏｎ）して、当該室を冷却する。なお、その他の２室の室内温度が同じである場合の為に、予め起動する室内ファンの優先順位を決めておく。
そして、周囲温度が閾値未満に下がったら、通常運転に戻す。
【産業上の利用可能性】
【００４９】
本発明によれば、高周温下の運転に際し、圧縮機の温度上昇を防止することができ、圧縮機の保全が図られるから、各種自動販売機として広く利用することができる。
【図面の簡単な説明】
【００５０】
【図１】本発明の実施の形態１に係る自動販売機を説明する正面視の断面図。
【図２】本発明の実施の形態１に係る自動販売機を説明する側面視の断面図。
【図３】図１に示す自動販売機に設置された冷却回路の構成図。
【図４】図１に示す自動販売機における冷媒の流れ方を示す冷却回路の構成図。
【図５】図１に示す自動販売機における冷媒の流れ方を示す冷却回路の構成図。
【図６】本発明の実施の形態２に係る自動販売機に設置された冷却回路の構成図。
【図７】図６に示す自動販売機における冷媒の流れ方を示す冷却回路の構成図。
【図８】本発明の実施の形態３に係る自動販売機に設置された冷却回路の構成図。
【図９】図８に示す自動販売機における冷媒の流れ方を示す冷却回路の構成図。
【図１０】本発明の実施の形態４に係る自動販売機に設置された冷却回路の構成図。
【図１１】本発明の実施の形態４に係る自動販売機の制御系の実施例のブロック図。
【図１２】本発明の実施の形態４に係る自動販売機の制御系の実施例のフローチャート図。
【符号の説明】
【００５１】
１ 圧縮機
２ ガスクーラ
３ 内部熱交換器
４ 室冷却用膨張手段
５ 分岐点
６Ｌ 左室蒸発器
６Ｍ 中室蒸発器
６Ｒ 右室蒸発器
７Ｌ 左室凝縮器
７Ｍ 中室凝縮器
８ 合流点
９ 合流点
４０Ｌ 左室
４０Ｍ 中室
４０Ｒ 右室
４１   バイパス配管（実施の形態２）
４１ｖ バイパス電磁弁（実施の形態２）
６１   バイパス配管（実施の形態３）
６１ｖ バイパス電磁弁（実施の形態３）
８１   バイパス配管（実施の形態１）
８１ｅ バイパス膨張手段（実施の形態１）
８１ｖ バイパス電磁弁（実施の形態１）
１００Ｃ 室冷却用配管系
１００Ｈ 室加熱用配管系
２００ キャビネット
３００ 断熱材
４００ 商品収納庫
４０３ 仕切り板
４０４ 商品補充用扉
４０５ 内扉
４０６ 前扉
４０７ 商品収納ラック
４０８ 商品誘導板
４０９ 商品取出し口
４１０ 庫内部品収納室
４２０ 循環ダクト
４３０ 室内ファン
４４０ 庫内熱交換器
４５０ 送風ダクト
４６０ 風胴
４７０ コンデンシングユニット
４８０ 機械室
４８１ 庫外ファン
４９０ 電装品収納室
５００ 室内温度センサー
６００ 周囲温度センサー
１０００ 自動販売機（実施の形態１）
１０００ｃ 冷媒回路（実施の形態１）
２０００ 自動販売機（実施の形態２）
２０００ｃ 冷媒回路（実施の形態２）
３０００ 自動販売機（実施の形態３）
３０００ｃ 冷媒回路（実施の形態３）
４０００ 自動販売機（実施の形態４）
４０００ｃ 冷媒回路（実施の形態４）
４４３０ 室内ファン制御手段（実施の形態４）
Ｓ 商品
【図１】
2010055413.tif 000003
【図２】
2010055413.tif 000004
【図３】
2010055413.tif 000005
【図４】
2010055413.tif 000006
【図５】
2010055413.tif 000007
【図６】
2010055413.tif 000008
【図７】
2010055413.tif 000009
【図８】
2010055413.tif 000010
【図９】
2010055413.tif 000011
【図１０】
2010055413.tif 000012
【図１１】
2010055413.tif 000013
【図１２】
2010055413.tif 000014